(57)【要約】【課題】  主弁部の上面に、パイロット弁やプリント回路基板等を効率良くかつ分解や組立が容易なるように搭載することにより、加工性とメンテナンス性とを高めた切換弁を得る。【解決手段】  主弁部２のハウジング１０の上面にバルブアダプタ４を第１ねじ２４により取り付け、このバルブアダプタ４の上にパイロット弁６ａ，６ｂを第２ねじ２６で取り付け、これらのパイロット弁６ａ，６ｂの上部にプリント回路基板４３を配設して相互に電気接続し、これらのバルブアダプタ４とパイロット弁６ａ，６ｂとプリント回路基板４３とを覆う保護カバー４４をハウジング１０の上面に第３ねじ５９で気密に取り付け、上記バルブアダプタ４とハウジング１０との間にパイロット供給流路２９を形成すると共に、このバルブアダプタ４に、上記パイロット弁６ａ，６ｂをパイロット用の各流路孔２１ａ，２１ｂ，２１ｃに連通させるための中継孔３１，３２，３３を設ける。【選択図】        図１
2006118678.tif 000002
【特許請求の範囲】
【請求項１】
矩形の断面形状を有するハウジングに、主流体の供給用、出力用、及び排出用の各ポートと、これらのポート間の流路を切り換えるスプールと、このスプールを駆動するためのピストン及びパイロット圧力室とを設けた主弁部；上記ハウジングの上面に取り付けられたバルブアダプタ；このバルブアダプタを介して上記ハウジングの上面に設置され、パイロット弁により上記パイロット圧力室にパイロット流体を供給して上記スプールを駆動するパイロット操作部；を有し、
上記パイロット操作部は、上記バルブアダプタ上に取り付けられた電磁操作式の上記パイロット弁と、該パイロット弁の上方に配置されて該パイロット弁に電気接続されたプリント回路基板と、上記ハウジングの上面に気密に取り付けられ、上記バルブアダプタとパイロット弁及びプリント回路基板を全体的に覆う保護カバーとを有し、
上記バルブアダプタは、ハウジング上面との間に上記供給用ポートに通じるパイロット供給流路を区画すると共に、上記パイロット弁をハウジング上面に開口するパイロット用の各流路孔に連通させるための中継孔を有する、
ことを特徴とする電磁パイロット式切換弁。
【請求項２】
上記バルブアダプタが、ハウジングの軸線方向に長いプレート状をなしていて、上面の相対する位置に上記パイロット弁を取り付けるための２つのバルブ搭載部を有し、また、上記ハウジングの上面には、該バルブアダプタと略同形の凹部が形成されると共に、該凹部を取り囲むようにカバー取付面が形成され、上記凹部内に上記バルブアダプタがガスケットを介して嵌合状態に取り付けられ、上記カバー取付面に上記保護カバーがガスケットを介して取り付けられていることを特徴とする請求項１に記載の切換弁。
【請求項３】
上記バルブアダプタがハウジングに第１ねじで着脱自在に取り付けられ、該バルブアダプタ上の上記第１ねじの着脱に邪魔にならない位置にパイロット弁が第２ねじで着脱自在に取り付けられ、上記プリント回路基板は上記保護カバーの内部に取り付けられていて、この保護カバーが上記ハウジングに第３ねじで着脱自在に取り付けられていることを特徴とする請求項１に記載の切換弁。
【請求項４】
上記パイロット弁の上面に第１コネクタ部が設けられ、また、上記プリント回路基板の下面に第２コネクタ部が設けられていて、該プリント回路基板をパイロット弁の上部の所定の位置に設置するとこれらのコネクタ部同士がプラグイン式に電気接続されるように構成されていることを特徴とする請求項１から３の何れかに記載の切換弁。
【請求項５】
上記保護カバーの上面にパイロット弁のための受電コネクタが設けられ、この受電コネクタの各端子は、上記保護カバーを気密に貫通して該カバーの内外に延び、基端部が上記プリント回路基板に電気接続されていることを特徴とする請求項１から４の何れかに記載の切換弁。
【請求項６】
上記ハウジングの軸線方向の両端面にそれぞれエンドプレートが取り付けられていて、これらのエンドプレートと上記各ピストンとの間にそれぞれパイロット圧力室が区画、形成されると共に、一方のエンドプレートに上記パイロット弁のための受電コネクタが設けられ、この受電コネクタの各端子が上記プリント回路基板に電気接続されていることを特徴とする請求項１から４の何れかに記載の切換弁。
【発明の詳細な説明】
【技術分野】
【０００１】
本発明は、電磁操作式のパイロット弁でスプールを駆動するように構成された電磁パイロット式切換弁に関するものである。
【背景技術】
【０００２】
弁孔内を摺動する流路切換用のスプールを、１つ又は２つの電磁操作式のパイロット弁で駆動するように構成された電磁パイロット式切換弁は、従来より公知である。この種の切換弁においては、上記パイロット弁が、ハウジングの軸線方向の一端又は両端に取り付けられるか、あるいは、該ハウジングの上面に取り付けられるが、後者のようにパイロット弁をハウジングの上面に取り付けた切換弁は、横方向の長さを短かくできるという利点があるため、横幅が狭い場所での使用に適している。
【０００３】
特許文献１には、パイロット弁をハウジングの上面に取り付けた切換弁が開示されている。この切換弁は、パイロット弁が防護カバーで覆われていて、防水性にも勝れるといった利点を有するもので、機能面での問題は特にないが、上記パイロット弁がハウジングの上面に直接取り付けられているため、このハウジングに、互いに交錯する方向に延びる複数のパイロット用流路を、それらが交わることのないように場所を選びながら適宜折り曲げた状態で形成しなければならず、また、パイロット弁を取り付けるための複数ねじ孔も上記パイロット用流路を避けた位置に形成しなければならないため、加工性にやや難点がある。
【０００４】
また、この種の切換弁に一般に要求されることは、パイロット弁やそれに関連するプリント回路基板等の各部品が、コンパクトにまとめられて上記ハウジングに効率良く組み付けられているということである。さらに、切換弁のメンテナンス時に、上記各部品をハウジングから順序良く簡単に取り外したり、ハウジングに再び順序良く簡単に組み付けたりすることができるようになっていることも重要である。
【特許文献１】特開平８−１４５２３０号公報
【発明の開示】
【発明が解決しようとする課題】
【０００５】
本発明の目的は、ハウジングに、複雑に交錯したり折れ曲がったりしたパイロット用流路や、パイロット弁取付用の複数のねじ孔等を形成することなく、該ハウジングの上面にパイロット弁とそれに関連するプリント回路基板等の各部品を効率良く組み付けることができると共に、これらの各部品の分解や再組立等の作業を順序良く簡単に行うことができるようにした、加工性とメンテナンス性とに勝れた電磁パイロット式切換弁を提供することにある。
【課題を解決するための手段】
【０００６】
上記課題を解決するため、本発明の電磁パイロット式切換弁は、矩形の断面形状を有するハウジングに、主流体の供給用、出力用、及び排出用の各ポートと、これらのポート間の流路を切り換えるスプールと、このスプールを駆動するためのピストン及びパイロット圧力室とを設けた主弁部；上記ハウジングの上面に取り付けられたバルブアダプタ；このバルブアダプタを介して上記ハウジングの上面に設置され、パイロット弁により上記パイロット圧力室にパイロット流体を供給して上記スプールを駆動するパイロット操作部；を有し、上記パイロット操作部は、上記バルブアダプタ上に取り付けられた電磁操作式の上記パイロット弁と、該パイロット弁の上方に配置されて該パイロット弁に電気接続されたプリント回路基板と、上記ハウジングの上面に気密に取り付けられ、上記バルブアダプタとパイロット弁及びプリント回路基板を全体的に覆う保護カバーとを有し、上記バルブアダプタは、ハウジング上面との間に上記供給用ポートに通じるパイロット供給流路を区画すると共に、上記パイロット弁をハウジング上面に開口するパイロット用の各流路孔に連通させるための中継孔を有することを特徴とするものである。
【０００７】
本発明の具体的な構成態様によれば、上記バルブアダプタが、ハウジングの軸線方向に長いプレート状をなしていて、上面の相対する位置に上記パイロット弁を取り付けるための２つのバルブ搭載部を有し、また、上記ハウジングの上面には、該バルブアダプタと略同形の凹部が形成されると共に、該凹部を取り囲むようにカバー取付面が形成され、上記凹部内に上記バルブアダプタがガスケットを介して嵌合状態に取り付けられ、上記カバー取付面に上記保護カバーがガスケットを介して取り付けられている。
【０００８】
本発明においては、上記バルブアダプタがハウジングに第１ねじで着脱自在に取り付けられ、該バルブアダプタ上の上記第１ねじの着脱に邪魔にならない位置にパイロット弁が第２ねじで着脱自在に取り付けられ、上記プリント回路基板は上記保護カバーの内部に取り付けられていて、この保護カバーが上記ハウジングに第３ねじで着脱自在に取り付けられていることが望ましい。
【０００９】
本発明において好ましくは、上記パイロット弁の上面に第１コネクタ部が設けられ、また、上記プリント回路基板の下面に第２コネクタ部が設けられていて、該プリント回路基板をパイロット弁の上部の所定の位置に設置するとこれらのコネクタ部同士がプラグイン式に電気接続されるように構成されていることである。
【００１０】
本発明の一つの好ましい構成態様によれば、上記保護カバーの上面にパイロット弁のための受電コネクタが設けられ、この受電コネクタの各端子は、上記保護カバーを気密に貫通して該カバーの内外に延び、基端部が上記プリント回路基板に電気接続されている。
【００１１】
本発明の他の好ましい構成態様によれば、上記ハウジングの軸線方向の両端面にそれぞれエンドプレートが取り付けられていて、これらのエンドプレートと上記各ピストンとの間にそれぞれパイロット圧力室が区画、形成されると共に、一方のエンドプレートに上記パイロット弁のための受電コネクタが設けられ、この受電コネクタの各端子が上記プリント回路基板に電気接続されている。
【発明の効果】
【００１２】
本発明によれば、バルブアダプタにパイロット弁を取り付けると共に、このバルブアダプタを利用してパイロット用の供給流路とパイロット連通孔とを形成したので、上記ハウジングに、複雑に交錯しかつ折れ曲がったパイロット用流路を形成したり、これらの流路を避けられる場所を選んでパイロット弁取付用のねじ孔を形成する必要がなく、設計が容易で加工性にも勝れる。また、上記バルブアダプタを利用してハウジングの上面にパイロット弁やプリント回路基板等の各部品を効率良く組み付けることができ、これらの各部品の分解や再組立等の作業も容易でメンテナンス性に勝れる。
【発明を実施するための最良の形態】
【００１３】
図１及び図２には、本発明に係る電磁パイロット式切換弁の第１実施形態が示されている。この切換弁１Ａは、ダブルパイロット式の切換弁であって、スプール５で主流体の流路を切り換える主弁部２と、２つの電磁操作式のパイロット弁６ａ，６ｂでパイロット流体を制御して上記スプール５を駆動するパイロット操作部３とを有し、上記主弁部２の上面にバルブアダプタ４を介してこのパイロット操作部３が設置されている。
なお、上記主流体及びパイロット流体は、液体又はエアの何れであっても良い。
【００１４】
上記主弁部２は、５ポート式の弁構造を有するもので、実質的に矩形の断面形状を有する軸線方向に長いハウジング１０と、このハウジング１０の軸線方向の第１端１０ａと第２端１０ｂとにそれぞれガスケット１２を介して気密に取り付けられた矩形の第１エンドプレート１１ａ及び第２エンドプレート１１ｂとを有し、各エンドプレート１１ａ，１１ｂにそれぞれ手動操作装置１３が設けられている。
【００１５】
上記ハウジング１０には、その内部を軸線方向に延びる弁孔１５と、この弁孔１５に異なる位置で連通する主流体の供給用、出力用、排出用の５つのポートＰ，Ａ，Ｂ，ＥＡ，ＥＢと、上記弁孔１５内を摺動してこれらのポート間の流路の連通状態を切り換える上記スプール５とが設けられており、これらの各ポートＰ，Ａ，Ｂ，ＥＡ，ＥＢは、上記ハウジング１０の下面に所定の配列で開口している。
【００１６】
上記スプール５の軸線方向の両端には、互いに同径で受圧面積の等しい第１ピストン１６ａと第２ピストン１５ｂがそれぞれ一体に形成され、各ピストン１６ａ，１６ｂの外側端面である受圧面と上記各エンドプレート１１ａ，１１ｂとの間に、第１パイロット圧力室１７ａ及び第２パイロット圧力室１７ｂが区画、形成されている。そして、図１に示すように第２パイロット圧力室１７ｂにパイロット流体が供給されると、スプール５が左方向に移動して図示の切換位置を占め、供給用ポートＰと第２出力用ポートＢとが連通すると共に、第１出力用ポートＡと第１排出用ポートＥＡとが連通する。逆に、上記第１パイロット圧力室１７ａにパイロット流体が供給されると、スプール５が右方向に移動して図１とは反対側の切換位置を占め、供給用ポートＰと第１出力用ポートＡとが連通すると共に、第２出力用ポートＢと第２排出用ポートＥＢとが連通する。
なお、上記各ピストン１６ａ，１６ｂは必ずしもスプール５と一体である必要はなく、該スプール５とは別に形成し、それらを該スプール５の端面に当接させるかあるいは結合しても良い。
【００１７】
上記ハウジング１０の上面には、図５からも分かるように、その中央部を該ハウジング１０の軸線方向に細長く延びる凹部１９が形成されている。この凹部１９の中央には、上記供給用ポートＰに通じるパイロット用の供給分岐孔２０が開口し、該凹部１９の長手方向の両端の幅広部の位置には、それぞれ、第１〜第３の複数の流路孔２１ａ，２１ｂ，２１ｃが、凹部１９の中心に対して互いに対称の位置関係を占めるように設けられている。さらに、該凹部１９の両端と中間の複数カ所には、上記バルブアダプタ４を取り付けるためのねじ孔２２が設けられている。そして、この凹部１９内に、シール用のガスケット２３を介して上記バルブアダプタ４を嵌め込み、第１ねじ２４を上記各ねじ孔２２にねじ付けることにより、このバルブアダプタ４が上記ハウジング１０に取り外し可能に取り付けられている。上記第１ねじ２４は、上記バルブアダプタ４をハウジング１０に取り付けるためだけに使用される専用のねじである。
【００１８】
上記バルブアダプタ４は、図６及び図７からも明らかなように、ハウジング１０の軸線方向に細長くかつ両端に幅広部を有するプレート状をなすもので、上記凹部１９と実質的に同じ平面形状を有すると共に、該凹部１９の深さと同じかそれよりも僅かに大きくかつ均一な厚さを有するように形成され、この凹部１９内に、ハウジング１０の上面と同じ高さにあるか又は僅かに突出するように取り付けられている。このバルブアダプタ４の上面には、図６に示すように、その中心に対して相対する位置、即ち長さ方向の一半部側と他半部側とに、２つのバルブ搭載部２５ａ，２５ｂが互いに対称をなすように形成され、これらのバルブ搭載部２５ａ，２５ｂに、互いに同じ構造を有する第１及び第２の２つのパイロット弁６ａ，６ｂが、向かい合わせで対称形に配置され、それぞれ専用の第２ねじ２６で取り外し可能に取り付けられている。これらのパイロット弁６ａ，６ｂは、上記第１ねじ２４でバルブアダプタ４をハウジング１０に着脱する際の邪魔にならない位置に搭載されている。
【００１９】
上記バルブアダプタ４の下面には、図７から分かるように、その中央部を長手方向に延びて２つのバルブ搭載部２５ａ，２５ｂに跨る凹溝２８ａが形成され、この凹溝２８ａと上記ハウジング１０の上面との間に、上記供給分岐孔２０に通じるパイロット供給流路２９が区画、形成されている。また、該バルブアダプタ４の両端部の各パイロット弁６ａ，６ｂに対応する位置には、それぞれ、第１〜第３の複数の中継孔３１，３２，３３が形成されている。このうち第１中継孔３１は、上記凹溝２８ａ内に開口していて、パイロット弁６ａ，６ｂの供給用パイロットポートＰＰを上記パイロット供給流路２９に連通させており、また、上記第２中継孔３２は、他の凹部２８ｂ内に開口していて、パイロット弁６ａ，６ｂの出力用パイロットポートＰＡをこの凹部２８ｂを通じて上記第１流路孔２１ａに連通させており、更に、上記第３中継孔３３は、他の凹部２８ｃ内に開口していて、パイロット弁６ａ，６ｂの排出用パイロットポートＰＥをこの凹部２８ｃを通じて上記第２流路孔２１ｂに連通させている。
【００２０】
そして、上記第１流路孔２１ａは、エンドプレート１１ａ，１１ｂに形成された手動操作装置１３の弁室３５に導かれ、該弁室３５の下側に区画された第１室部分３５ａに開口３６を通じて連通しており、上記第２流路孔２１ｂは、図示しないパイロット排出口に連通しており、上記第３流路孔２１ｃは、上記パイロット供給流路２９を、上記弁室３５の上側に区画された第２室部分３５ｂに連通させている。
【００２１】
上記手動操作装置１３は、パイロット弁６ａ，６ｂによる切換状態を手動操作で再現するためのもので、第１エンドプレート１１ａの手動操作装置１３が第１パイロット弁６ａに対応し、第２エンドプレート１１ｂの手動操作装置１３が第２パイロット弁６ｂに対応している。これらの手動操作装置１３は、上記弁室３５内に上下動自在に収容された弁棒３９を有している。この弁棒３９は、上下に２つのシール部材４０ａ，４０ｂを有していて、これらのシール部材４０ａ，４０ｂで弁室３５を上述した上下２つの室部分３５ａと３５ｂとに区画している。また、上記弁室３５は、導通孔３７を通じて上記パイロット圧力室１７ａ，１７ｂに連通している。
【００２２】
そして、上記弁棒３９が非操作状態にあるときは、図１に示すように、下方のシール部材４０ｂで上記導通孔３７が第３流路孔２１ｃから遮断され、第１流路孔２１ａに通じる開口３６と連通するため、上記パイロット圧力室１７ａ，１７ｂはパイロット弁６ａ，６ｂを介して上記パイロット供給流路２９と連通した状態となる。上記弁棒３９を押し下げ操作すると、下方のシール部材４０ｂで上記導通孔３７が開口３６から遮断されて第３流路孔２１ｃと連通するため、上記パイロット圧力室１７ａ，１７ｂはパイロット供給流路２９と直接連通する。
【００２３】
なお、図中４１は、上記弁棒３９を非操作位置である上昇位置に復帰させるための復帰ばねであるが、この弁棒３９は、それに作用する流体圧で非操作位置に復帰させるように構成することもできる。また、この弁棒３９は、自己保持形として押し下げ位置に係止させられるように構成することもできる。
【００２４】
上記パイロット操作部３は、上記バルブアダプタ４の各バルブ搭載部２５ａ，２５ｂに搭載された２つの上記パイロット弁６ａ，６ｂと、これらのパイロット弁６ａ，６ｂの上方に配置されて各パイロット弁６ａ，６ｂと電気接続されたプリント回路基板４３と、上記ハウジング１０の上面に気密に取り付けられ、上記バルブアダプタ４とパイロット弁６ａ，６ｂ及びプリント回路基板４３を全体的に覆う保護カバー４４とを有している。この保護カバー４４の上面中央部には、上記プリント回路基板４３を介して各パイロット弁６ａ，６ｂに電気接続された受電コネクタ４５が設けられ、電源からの外部コネクタをこの受電コネクタ４５に切換弁の上部で接続できるようになっている。
【００２５】
上記パイロット弁６ａ，６ｂは、公知の３ポート式電磁弁と実質的に同じ構造を有するもので、上述した供給用、出力用、排出用の各パイロットポートＰＰ，ＰＡ，ＰＥと、これらのパイロットポートを結ぶ流路を切り換えるパイロット弁部材４６と、このパイロット弁部材４６を動作させる可動鉄心４７と、この可動鉄心４７を磁気力により駆動する励磁コイル４８及び固定鉄心４９とを有している。このパイロット弁６ａ，６ｂは、各パイロットポートＰＰ，ＰＡ，ＰＥを各中継孔３１，３２，３３に個別に連通させた状態で上記バルブアダプタ４に取り付けられており、該パイロット弁６ａ，６ｂの上面には、図３及び図４に示すように、上記励磁コイル４８に導通する２つのコイル端子５０ａ，５０ｂを備えた第１コネクタ部５０が形成されている。
【００２６】
そして、上記励磁コイル４８に通電すると、供給用パイロットポートＰＰと出力用パイロットポートＰＡとが連通し、上記パイロット供給流路２９からのパイロット流体が対応するパイロット圧力室１７ａ，１７ｂに供給され、励磁コイル４８の通電を断つと、上記供給用パイロットポートＰＰが遮断されて出力用パイロットポートＰＡと排出用パイロットポートＰＥとが連通し、上記パイロット圧力室１７ａ，１７ｂが大気に開放されるようになっている。
【００２７】
従って、図１において、第１パイロット弁６ａに通電して第２パイロット弁６ｂを非通電にすると、第１パイロット弁６ａによってパイロット流体が第１パイロット圧力室１７ａに供給されると共に、第２パイロット弁６ｂによって第２パイロット圧力室１７ｂが大気に開放されるため、スプール５は図１の位置から右方向に移動し、逆に、第２パイロット弁６ｂに通電して第１パイロット弁６ａを非通電にすると、第２パイロット弁６ｂによってパイロット流体が第２パイロット圧力室１７ｂに供給されると共に、第１パイロット弁６ａによって第１パイロット圧力室１７ａが大気に開放されるため、スプール５は左方向に移動して図１の位置を占めることになる。
【００２８】
上記プリント回路基板４３は、上記２つのパイロット弁６ａ，６ｂに跨るように配設され、これら２つのパイロット弁６ａ，６ｂの上部をほぼ覆っている。このプリント回路基板４３には、ダイオードや抵抗器などの電子部品５１と表示灯５２とを備えた２組の制御回路が印刷により形成されている。また、図３及び図４から分かるように、上記各パイロット弁６ａ，６ｂの第１コネクタ部５０と対応する位置に、該基板４３から下方に延出する２つの接続端子を備えた２つの第２コネクタ部５４が形成され、このプリント回路基板４３をパイロット弁６ａ，６ｂの上部の所定の位置に設置すると、この第２コネクタ部５４が各パイロット弁６ａ，６ｂの第１コネクタ部５０にプラグイン式に電気接続されるようになっている。また、このプリント回路基板４３は、上記保護カバー４４の内部にねじ止めやフックに係止させるなどの方法によって取り付けられており、これにより、この保護カバー４４と一緒にハウジング１０に対して着脱されるようになっている。
【００２９】
また、上記受電コネクタ４５は、３つの端子４５ａ，４５ｂ，４５ｃを有し、これらの各端子が、上記保護カバー４４を気密に貫通して先端が上面に突出し、基端部が保護カバー４４内において上記プリント回路基板４３上の２組の制御回路に電気接続されている。即ち、第１端子４５ａが共通端子として２組の制御回路に共通に接続され、他の第２端子４５ｂと第３端子４５ｃとが個別端子として２組の制御回路に個別に接続されている。しかし、端子の数を４つとし、全てを個別の端子として各制御回路に２つずつ接続しても良い。また、上記各端子をプリント回路基板４３にはんだ付けすることにより、このプリント回路基板４３を保護カバー４４に取り付けるようにしても良い。
【００３０】
上記保護カバー４４は、フード状をしていて、その下端部全周に矩形の当接面４４ａを有すると共に、下端部の左右両側に外方に張り出したフランジ状の取付部４４ｂを有している。そして、上記当接面４４ａを、ハウジング１０の上面に凹部１９を取り囲むように形成されたカバー取付面５７にガスケット５８を介して気密に当接させ、上記取付部４４ｂに形成されたねじ挿入孔６０ａを通じてカバー取付面５７上のねじ孔６０ｂに専用の第３ねじ５９を螺着することにより、該ハウジング１０に着脱自在に取り付けられている。この保護カバー４４の上面両端部には、上記各表示灯５２に対応する位置に、透光性のある表示窓４４ｃが形成され、この表示窓４４ｃを通じて上記表示灯５２の点灯状況を確認することにより、各パイロット弁６ａ，６ｂの動作状況を知ることができるようになっている。
【００３１】
上記保護カバー４４の下端の当接面４４ａは、その外側の形状が、上記ハウジング１０の上面の外形とほぼ同じ形状及び大きさを有するように形成され、また、内側の形状が、上記凹部１９とほぼ同じ形状及び大きさを有するように形成されている。従って、この保護カバー４４をハウジング１０の上面に取り付けたとき、該ハウジング１０の上面全体がこの保護カバー４４でほぼ完全にしかも気密状態に覆われ、パイロット操作部３の気密性と防水性が確実に保たれることになる。
【００３２】
上記第１実施形態の切換弁１Ａにおいて、メンテナンス時に主弁部２とパイロット操作部３とを分離するときは、先ず、第３ねじ５９を緩めることで、上記保護カバー４４とプリント回路基板４３とを他の部品に関係なく一緒に取り外すことができる。次に、第２ねじ２６を緩めれば、各パイロット弁６ａ，６ｂを個別に取り外すことができる。そして、最後に第１ねじ２４を緩めることにより、バルブアダプタ４をハウジング１０から取り外すことができる。あるいは、このバルブアダプタ４を、パイロット弁６ａ，６ｂを取り付けたまま取り外すこともできる。メンテナンスが終了したあとは、取り外す場合とは逆の順番で上記各部品を専用の各ねじ２４，２６，５９で取り付けていけば良い。
【００３３】
かくして上記切換弁１Ａは、主弁部２のハウジング１０の上面に、上記バルブアダプタ４を介して、パイロット操作部３を構成するパイロット弁６ａ，６ｂやプリント回路基板４３等の各部品を、コンパクトにまとめた状態で効率良く順番に組み付けることができるだけでなく、メンテナンス時における各部品の分解作業や再組立の作業も、順序良く簡単に行うことができる。
しかも、上記バルブアダプタ４にパイロット弁６ａ，６ｂを取り付けると共に、このバルブアダプタ４を利用してパイロット用供給流路２９や各中継孔３１，３２，３３等を形成するようにしたので、上記ハウジング１０に複雑に交錯しかつ折れ曲がった複数のパイロット用流路を形成したり、これらの流路を避けられる場所を選んでパイロット弁６ａ，６ｂを取り付けるための複数のねじ孔等を形成する必要がなく、設計が容易で加工性にも勝れる。
【００３４】
図８は本発明に係る電磁パイロット式切換弁の第２実施形態を示すものである。この第２実施形態の切換弁１Ｂは、１つのパイロット弁６ａだけを備えたシングルパイロット式の切換弁であって、上記第１実施形態のダブルパイロット式の切換弁１Ａにおいて、右側の第２パイロット弁６ｂを取り除くと共に、スプール５に一体に形成されている第２ピストン１６ｂの機能を消失させてその代わりに別の小径ピストンを第２ピストンとして設けたものである。以下、この第２実施形態の切換弁１Ｂの構成のうち、主として上記第１実施形態の切換弁１Ａと異なる部分について説明する。
【００３５】
この切換弁１Ｂのバルブアダプタ４の上面には、上記第２パイロット弁６ｂを取り付けるべき位置に、各中継孔３１，３２，３３を塞ぐためのブランキングプレート６１が取付けられている。このブランキングプレート６１は、矩形のブロック状をしていて、図示を省略した専用の第４ねじでバルブアダプタ４に取り付けられている。
【００３６】
また、スプール５の、第１ピストン１６ａが設けられている第１端とは反対側の第２端５ａには、この第１ピストン１６ａよりも小径で受圧面積の小さい第２ピストン１６ｂが取り付けられている。この第２ピストン１６ｂは、受圧ヘッド６３と、この受圧ヘッド６３の中心から上記スプール５側に向けて延びる連結軸部６４とからなるもので、この連結軸部６４が上記スプール５の端面中央部に形成された連結孔６５内に摺動自在に嵌合し、上記受圧ヘッド６３とスプール５との間に介設したばね６６でスプール５から離反する方向に弾発されている。
【００３７】
更に、ハウジング１０の第２端１０ｂ側には、上記第２ピストン１６ｂの受圧ヘッド６３が嵌合するピストン孔６８を備えた第２エンドプレート１１ｂが取り付けられ、この第２エンドプレート１１ｂと上記第２ピストン１６ｂとの間に第２パイロット圧力室１７ｂが区画、形成されている。この第２パイロット圧力室１７ｂは、ハウジング１０の第３流路孔２１ｃと第２エンドプレート１１ｂの連絡孔６９とを通じてパイロット供給流路２９に常時連通している。なお、この第２エンドプレート１１ｂに手動操作装置は設けられていない。また、上記スプール５の第２端５ａと第２エンドプレート１１ｂとの間の室は、呼吸室７０になっていて、外気に開放されている。
【００３８】
上記切換弁１Ｂは、第２パイロット圧力室１７ｂにパイロット流体が常時供給されている状態で、第１パイロット弁６ａをオン・オフさせて第１パイロット圧力室１７ａにパイロット流体を供給したり排出したりすることにより、上記第１ピストン１６ａと第２ピストン１６ｂとの受圧面積差に基づく作用力の差によってスプール５を切り換えるものである。
この第２実施形態の切換弁１Ｂの上記以外の構成は実質的に第１実施形態の切換弁１Ａと同じであって、それらの同一構成部分には互いに同じ部品がそのまま使用されている。従って、この切換弁１Ｂにおける切換弁１Ａとの主要な同一構成部分にこの切換弁１Ａと同じ符号を付してその説明は省略する。
【００３９】
図９及び図１０は、本発明に係る電磁パイロット式切換弁の第３実施形態を示すものである。この第３実施形態の切換弁１Ｃが上記第１実施形態の切換弁１Ａと相違する点は、受電コネクタ４５が、保護カバー４４ではなくエンドプレートに形成されているという点である。即ち、第１エンドプレート１１ａに上記受電コネクタ４５が横向きに形成され、電源からの外部コネクタを切換弁の側面方向から接続できるようになっている。
【００４０】
上記受電コネクタ４５の３つの端子４５ａ，４５ｂ，４５ｃは、第１エンドプレート１１ａの内部の基板室７１内に設けたコネクタ用基板７２に電気接続されたあと、このコネクタ用基板７２からハウジング１０側に向けて延出する３つの第１基板端子７３ａ，７３ｂ，７３ｃ、該ハウジング１０に設けた３つの中継接続端子７４ａ，７４ｂ，７４ｃ、プリント回路基板４３から下向きに延出する３つの第２基板端子７５ａ，７５ｂ，７５ｃに順次導通し、この第２基板端子７５ａ，７５ｂ，７５ｃを通じて上記プリント回路基板４３上の２つの制御回路に電気接続されている。
【００４１】
上記複数の中継接続端子７４ａ，７４ｂ，７４ｃは、ハウジング１０におけるバルブアダプタ４の取付場所から側方に外れた位置に設けられていて、ハウジング１０の上面と第１エンドプレート１１ａ側の端面との両方向を向く接続口を有し、これらの接続口に上記第１基板端子７３ａ，７３ｂ，７３ｃと第２基板端子７５ａ，７５ｂ，７５ｃとがプラグイン式に接続されるようになっている。
なお、図示したものにおいては、上記第１エンドプレート１１ａと反対側の第２エンドプレート１１ｂとに手動操作装置が設けられていないが、各エンドプレート１１ａ，１１ｂにそれぞれに手動操作装置を設けることもできる。
【００４２】
また、この第３実施形態の切換弁１Ｃの上記以外の構成は実質的に第１実施形態の切換弁１Ａと同じであるから、それらの主要な同一構成部分に第１実施形態の切換弁１Ａと同じ符号を付してその説明は省略する。
更に、この第３実施形態の切換弁１Ｃは、第２実施形態の切換弁１Ｂのように一部の部品を交換したり追加したりすることにより、シングルパイロット式切換弁に変更することもできる。
【００４３】
なお、本発明を適用できる切換弁は５ポート式に限るものではなく、それ以外の、例えば３ポート式のものであっても構わない。３ポート式の場合は、出力用及び排出用の各ポートが１つずつとなる。
【図面の簡単な説明】
【００４４】
【図１】本発明に係る切換弁の第１実施形態を示す断面図である。
【図２】図１の分解斜視図である。
【図３】図１のIII−III線に沿った断面図である。
【図４】図３のIV−IV線に沿った部分断面図である。
【図５】ハウジングの平面図である。
【図６】バルブアダプタの平面図である。
【図７】バルブアダプタの下面図である。
【図８】本発明に係る切換弁の第２実施形態を示す断面図である。
【図９】本発明に係る切換弁の第３実施形態を示す断面図である。
【図１０】第３実施形態の切換弁を図９とは異なる位置で断面にして示す要部拡大断面図である。
【符号の説明】
【００４５】
１Ａ，１Ｂ，１Ｃ      切換弁
２      主弁部
３      パイロット操作部
４      バルブアダプタ
５      スプール
６ａ，６ｂ      パイロット弁
１０      ハウジング
１１ａ，１１ｂ      エンドプレート
１６ａ，１６ｂ      ピストン
１７ａ，１７ｂ      パイロット圧力室
１９      凹部
２１ａ，２１ｂ，２１ｃ      パイロット流路孔
２３      ガスケット
２４      第１ねじ
２５ａ，２５ｂ      バルブ搭載部
２６      第２ねじ
２９      パイロット供給流路
３１，３２，３３      中継孔
４３      プリント回路基板
４４      保護カバー
４５      受電コネクタ
４５ａ，４５ｂ，４５ｃ      端子
５０      第１コネクタ部
５４      第２コネクタ部
５７      カバー取付面
５８      ガスケット
５９      第３ねじ
Ｐ，Ａ，Ｂ，ＥＡ，ＥＢ      ポート
【図１】
2006118678.tif 000003
【図２】
2006118678.tif 000004
【図３】
2006118678.tif 000005
【図４】
2006118678.tif 000006
【図５】
2006118678.tif 000007
【図６】
2006118678.tif 000008
【図７】
2006118678.tif 000009
【図８】
2006118678.tif 000010
【図９】
2006118678.tif 000011
【図１０】
2006118678.tif 000012